【手続補正書】
【提出日】平成18年3月24日(2006.3.24)
【手続補正１】
【補正対象書類名】明細書
【補正対象項目名】特許請求の範囲
【補正方法】変更
【補正の内容】
【特許請求の範囲】
【請求項１】
通知セキュリティレベルが記述された第１のフィールドを有する第１の送信フレームを通信グループ外の無線通信装置から受信する受信部と、
非暗号化を含む暗号化方法及び暗号化の強さに依存するセキュリティレベルから選定され、前記無線通信グループに割り当てられた基準セキュリティレベルを記憶するメモリ部と、
前記通知セキュリティレベルを前記基準セキュリティレベルと比較して前記無線通信グループ外の無線通信装置との接続拒否或いは接続許可を決定し、決定された接続拒否或いは接続許可が記載される第２のフィールドを有する第２の送信フレームを発生するフレーム発生部と、及び
この第２の送信フレームを前記無線通信グループ外の無線通信装置に向けて送信する送信部と、
を具備することを特徴とする前記無線通信グループに属する無線通信装置。
【請求項２】
前記基準セキュリティレベルは、第１、第２及び第３のセキュリティレベルから選定され、前記第１のセキュリティレベルが非暗号化に相当し、前記第２のセキュリティレベルが第１の暗号化における第１の暗号化の強さに相当し、前記第３のセキュリティレベルが前記第１の暗号化における第２の暗号化の強さに相当することを特徴とする請求項１の無線通信装置。
【請求項３】
前記フレーム発生部は、前記通知セキュリティレベルが前記基準セキュリティレベルよりも低ければ接続拒否を決定し、前記通知セキュリティレベルが前記基準セキュリティレベルよりも低くなければ接続許可を決定することを特徴とする請求項１の無線通信装置。
【請求項４】
前記接続許可の場合には、前記メモリ部が前記無線通信グループ外の無線通信装置のアドレス及び前記通知セキュリティレベルを保持することを特徴とする請求項１の無線通信装置。
【請求項５】
前記第２の通信フレームは、前記無線通信グループを特定するアドレスが記述された第３のフィールドを含むことを特徴とする請求項１の無線通信装置。
【請求項６】
無線通信グループに属する第１の無線通信装置及びこの無線通信グループ外の第２の無線通信装置から構成される無線通信システムにおいて、前記第１の無線通信装置は、
通知セキュリティレベルが記述された第１のフィールドを有する第１の送信フレームを前記第２の無線通信装置から受信する受信部と、
非暗号化を含む暗号化方法及び暗号化の強さに依存するセキュリティレベルから選定され、前記無線通信グループに割り当てられた基準セキュリティレベルを記憶する第１のメモリ部と、
前記通知セキュリティレベルを前記基準セキュリティレベルと比較して前記第２の無線通信装置との接続拒否或いは接続許可を決定し、決定された接続拒否或いは接続許可が記載される第２のフィールドを有する第２の送信フレームを発生する第１のフレーム発生部と、及び
この第２の送信フレームを前記第２の無線通信装置に向けて送信する送信部と、
を具備することを特徴とする無線通信システム。
【請求項７】
前記基準セキュリティレベルは、第１、第２及び第３のセキュリティレベルから選定され、前記第１のセキュリティレベルが非暗号化に相当し、前記第２のセキュリティレベルが第１の暗号化における第１の暗号化の強さに相当し、前記第３のセキュリティレベルが前記第１の暗号化における第２の暗号化の強さに相当することを特徴とする請求項６の無線通信システム。
【請求項８】
前記第１のフレーム発生部は、前記通知セキュリティレベルが前記基準セキュリティレベルよりも低ければ接続拒否を決定し、前記通知セキュリティレベルが前記基準セキュリティレベルよりも低くなければ接続許可を決定することを特徴とする請求項６の無線通信システム。
【請求項９】
前記接続許可の場合には、前記第１のメモリ部が前記第２の無線通信装置のアドレス及び前記通知セキュリティレベルを保持することを特徴とする請求項６の無線通信システム。
【請求項１０】
前記第２の通信フレームは、前記無線通信グループを特定するアドレスが記述された第３のフィールドを含むことを特徴とする請求項６の無線通信システム。
【請求項１１】
前記第２の無線通信装置は、前記基準セキュリティレベル及び前記第１の無線通信グループのアドレスを保持する第２のメモリ部を具備することを特徴とする請求項６の無線通信システム。
【請求項１２】
接続拒否が記述される第２のフィールドを有する第２の送信フレームを前記第２の無線通信装置が受信した場合には、前記第２の無線通信装置は、第２の通知セキュリティレベルが記述された第４のフィールドを有する第３の送信フレームを前記第１の無線通信装置に送信することを特徴とする請求項６の無線通信システム。
【請求項１３】
前記第１のメモリは、前記第１の無線通信装置でサポートされるセキュリティレベル及び暗号化レベルに関連する暗号化パラメータを保持し、前記基準セキュリティレベルがこのサポートされているセキュリティレベルから選定されることを特徴とする請求項６の無線通信システム。
【請求項１４】
接続許可が記述される第２のフィールドを有する第２の送信フレームを前記第２の無線通信装置が受信した場合には、前記第２の無線通信装置は、暗号化データが格納されている第５のフィールドを有する第４の送信フレームを前記第１の無線通信装置に送信し、前記第１の無線通信装置が前記暗号化パラメータを用いて暗号化データを複合化することを特徴とする請求項１３の無線通信システム。
【請求項１５】
前記第１の送信フレームは、前記第１の無線通信装置でサポートされている複数の通知セキュリティレベルが記載された第１のフィールドを有し、前記フレーム発生部が前記通知セキュリティレベルの夫々を前記基準セキュリティレベルと比較し、前記通知セキュリティレベルの全てが前記基準セキュリティレベルよりも低ければ接続拒否を決定し、前記通知セキュリティレベルの１つが前記基準セキュリティレベルよりも低くなければ接続許可を決定することを特徴とする請求項１３の無線通信システム。
【請求項１６】
前記通知セキュリティレベルは、前記第２の無線通信装置がサポートする通知セキュリティレベル中の最大のレベルに相当することを特徴とする請求項６の無線通信システム。
【請求項１７】
前記無線通信グループ外の第３の無線通信装置であって前記通知セキュリティレベルで前記第２の無線通信装置と通信している第３の無線通信装置を更に具備することを特徴とする請求項６の無線通信システム。
【請求項１８】
前記無線通信グループに属する第３の無線通信装置であって前記基準セキュリティレベルより低くないセキュリティレベルで前記第２の無線通信装置と通信している第３の無線通信装置を更に具備することを特徴とする請求項６の無線通信システム。
【請求項１９】
前記第１及び第３の無線通信装置の１つは、アクセスポイントに相当することを特徴とする請求項６の無線通信システム。
【請求項２０】
前記第１及び第３の無線通信装置の１つは、無線端末に相当することを特徴とする請求項６の無線通信システム。
【請求項２１】
前記第２及び第３の無線通信装置の１つは、無線端末に相当することを特徴とする請求項６の無線通信システム。
【請求項２２】
前記無線通信グループ外の第３の無線通信装置であって前記通知セキュリティレベルで前記第２の無線通信装置と通信している第３の無線通信装置と、
前記無線通信グループに属する第４の無線通信装置であって前記基準セキュリティレベルより低くないセキュリティレベルで前記第２の無線通信装置と通信している第４の無線通信装置を更に具備することを特徴とする請求項６の無線通信システム。
【請求項２３】
前記第１の無線通信装置がビーコンフレームを第２の無線通信装置に通知して前記第１の送信フレームの送信を要求し、前記ビーコンフレームは、前記第１の無線通信装置でサポートし、前記基準セキュリティレベルより低くないセキュリティーフレームが記載されたフィールドを有することを特徴とする請求項６の無線通信システム。
【請求項２４】
前記第２の無線通信装置は、前記通知セキュリティレベルを含む第２のセキュリティレベルを記憶する第２のメモリ部と、
前記第２のセキュリティレベルを前記基準セキュリティレベルと比較して前記通知セキュリティレベルとして１つのセキュリティレベルを決定して前記第１の送信フレームを発生する第２のフレーム発生部と、及び
及び
この第１の送信フレームを第１の無線通信装置に向けて送信する送信部と、
を更に具備することを特徴とする請求項６の無線通信システム。
【請求項２５】
通知セキュリティレベルが記述された第１のフィールドを有する第１の送信フレームを通信グループ外から受信し、
非暗号化を含む暗号化方法及び暗号化の強さに依存するセキュリティレベルから選定され、前記無線通信グループに割り当てられた基準セキュリティレベルを記憶し、
前記通知セキュリティレベルを前記基準セキュリティレベルと比較して前記無線通信グループ外の無線通信装置との接続拒否或いは接続許可を決定し、決定された接続拒否或いは接続許可が記載される第２のフィールドを有する第２の送信フレームを発生し、及び
この第２の送信フレームを前記無線通信グループ外の無線通信装置に向けて送信することを特徴とする無線通信方法。
【請求項２６】
第１のフレームコントロールフィールド及びデータフィールドを有する第１のＭＡＣフレームを発生するフレーム発生装置であって、前記フレームコントロールフィールドがタイプフィールド及び暗号化フィールドを含み、当該ＭＡＣフレームが管理フレームに分類される旨が前記タイプフィールドに記述され、暗号化の有無が前記暗号化フィールドに記述され、前記データフィールドが管理データを含み、前記第１のＭＡＣフレームの管理データは、通知セキュリティレベルが記載されたセキュリティレベルフィールドを含むフレーム発生装置と、
前記第１の送信フレームを送信する送信装置と、
を具備することを特徴とする無線通信装置。
【請求項２７】
前記通知セキュリティレベルは、第１、第２及び第３のセキュリティレベルの１つに相当し、前記第１のセキュリティレベルが暗号化なし、前記第２のセキュリティレベルが第１の暗号化方法に基づいて暗号化された第１の強さ備えた第１の暗号化に相当し、前記第３のセキュリティレベルが第２の暗号化方法に基づいて暗号化された第２の強さ備えた第２の暗号化に相当することを特徴とする請求項２６の無線通信装置。
【請求項２８】
前記通知セキュリティレベルは、前記第１の送信装置でサポートされている複数のセキュリティレベル中の最大のものであることを特徴とする請求項２６の無線通信装置。
【請求項２９】
前記無線通信装置は、他の通信装置から第１の送信フレームの送信を要求するビーコンフレームを受信し、このビーコンフレームは、前記基準セキュリティレベルを含むセキュリティレベルが記載されたフレームを含み、このセキュリティレベルは、当該無線通信装置によってサポートされ、前記基準セキュリティレベルよりも高いことを特徴とする請求項２６の無線通信装置。
【請求項３０】
前記他の通信装置は、
前記通知されるセキュリティレベルを含む第２のセキュリティレベルが格納された参照メモリであって、前記第２のセキュリティレベルが暗号化せず及び暗号化強さを含む暗号化方法の１つに依存するセキュリティレベルから選定される第２の参照メモリと、
前記第１のセキュリティレベルを基準セキュリティレベル比較し、１つのセキュリティレベルを通知セキュリティレベルとして決定し、第２の送信フレームを発生する第２のフレーム発生装置と、
前記第２の送信フレームを第１の通信装置に送信する第２の送信装置と、
を具備することを特徴とする請求項２６の無線通信装置。